(57)【要約】要約：本発明は、中央シリンダの上部に水およびバッテリ貯蔵リザーバを備えた、回転式および移動式の手動および電気的遠隔制御の両方の360°までのアクセスおよびビューを有する、多角形および円形、の中央冷蔵庫および冷凍庫であり、 スマートデジタルシステムは、所有者および/または店舗の近くでメッセージおよび画像を送受信する機能を備えた内外のカメラに接続され、スマートショッピングのためにネットワークに接続され、遠隔制御および衛星電話および消費者の可能性 一方の側からの制限されたアクセスではなく、すべての側からのアクセスが可能である。 本発明は機械工学の分野にあり、食材用の冷却、冷却維持および冷凍、急速冷凍システムを含み、および、紅茶とコーヒーメーカー、製氷機のための冷水と湯を含み、調理用の電子レンジも装備されたユニットの新しいモデルである。
2019517649.tif 000002
【特許請求の範囲】
【請求項１】
360°までのアクセスと視認性を有し、多角形と円形であり、手動と電気のリモートコントロールの両方で回転式と移動式であり、中央のシリンダーの上部に水とバッテリー貯蔵リザーバーを装備し、内部および外部カメラと接続されていて所有者および/または近くの店舗にメッセージおよび画像を送受信する能力を有するとともに、スマートショッピングのためのネットワークにも接続されたデジタルシステム、および遠隔制御および衛星電話を備えていて一方の側からの限られたアクセスの代わりに消費者があらゆる側からアクセスすることができる、中央冷蔵庫および冷凍庫。
【請求項２】
制限された一方的な使用の除去のために、キッチン内の角部であって隣接するキャビネットおよび壁に接してのみ置かれる代わりに、キッチンとレセプションホールの間に配置される能力。
【請求項３】
セントラルダクトを通したスマートな調節可能なトラップドアによるスペース間の制御可能な関係を考慮し、冷蔵庫の少なくとも2つの主隣接空間と冷凍機の2つの主隣接空間と、いくつかのドアを有する他の並存空間とを含む４つ以上の主な隣接ユニットの温度を個別に変更し調整することにより、処理システムによる温度のスマートな調整とその均等化を異なる材料の冷却ニーズに基づいてエネルギーと効率を節約するために貯蔵材料に必要な温度を制御することができる能力。
【請求項４】
エンジンと冷却システムの中央部（中央垂直ダクト）への移動。
【請求項５】
冷蔵庫の主プラットフォーム配置の、蓄電池およびバックボーンサポートが構築される場所である、隣接するアースの下部の移動および回転による支持。
【請求項６】
周囲環境からの入り口の増加を考慮した、一方の側からのアクセスから360°アクセスへの向上のための冷蔵庫および冷凍室のアクセスドアの、2つのサイドバイサイドドアからより多くのドアへの増加。
【請求項７】
２つの隣接するドアの冷凍庫としての設置、および他の2つの隣接するドアの冷蔵庫としての設置（サイドバイサイド冷蔵庫とサイドバイサイド冷凍庫）。
【請求項８】
多角形と円形の使用および360°までの新しいモデルにおける設計。
【請求項９】
冷蔵庫と冷凍庫の胴を主支持台上を地面の近くにある中央主井の周りに移動するように動かすことができ、他の車輪と玉軸受によって手動または遠隔操作によって中心軸の周りを回転するようにすること。
【請求項１０】
電話システムを介して冷蔵庫と冷凍庫と併存空間との内部温度の増減およびオンオフをリモコンのインテリジェント電子ボードを介して行うリモートコントロール。
【請求項１１】
スマートシステムを介して所有者の携帯電話に画像を送信するため、および/または所定の店舗に必要な消耗品のリストおよび減少量およびそれらの準備および冷蔵庫設置住所への送付のための情報を接続するためのカメラを装備した、冷蔵庫の内部空間。
【請求項１２】
このモデルには、緊急時に給水および給電のネットワークから独立して一定時間使用するための、充電式バッテリと、上部貯水リザーバとが装備されている。
【請求項１３】
組み立てることができ、容易な運搬と重量減少することができる、異なった別々の部品でおこなう胴体と扉の製造。
【請求項１４】
冷蔵庫が所定の位置に固定された際の、冷蔵庫下部の主指示部を通した電気および水の接続。
【請求項１５】
冷蔵庫の中央インテリジェントシステムの状態および警報を表示し、必要に応じて調理訓練などの衛星チャネルを表示するために使用される、ドアの両側と上部ドアに配置されるモニタ。
【請求項１６】
モデルにはセクションごとに分かれ、トランクドアヒンジの上の四隅に配置された処理システムとバッテリ電源が装備される。
【請求項１７】
冷蔵庫は360°までのあらゆる角度で使用できます。 また、ホールやキッチンのコーナーに360°未満の角度で、たとえば多かれ少なかれ90°程度である。
【請求項１８】
メインドアと棚の横にある小さなドアはスライドしており、リモコンで手動または自動で上下に動かすことができる。
【請求項１９】
開口部のドアを一体化するための上部と下部を結合するための特別なロック。
【請求項２０】
すべてのアイテムと様式が添付図に表示されます。
【発明の詳細な説明】
【技術分野】
【０００１】
本発明は、冷凍、冷凍及び冷凍システム及び食品材料及び冷水及び温水及び製氷機のような全ての材料のための急速冷凍システムを含むユニットの新しい形態及びモデルを有する機械工学の分野にある。
【背景技術】
【０００２】
技術的問題と発明の目標
c.1）技術的な問題
以前の冷蔵庫と冷凍庫のモデルの技術的な問題は、次のものを含んでいた。
-収納されている物に、横からアクセスすることへの制限。 以前のモデルは壁やキャビネットによって制限されており、ひとつの面側からのみの使用に限られていた。
【０００３】
- 古いモデルでは、制限された使用と食品材料への片面アクセスと、比較的大きく奥まっていることとが、列配置された食品素材にアクセスする使用者に問題を与えていた。 ほとんどの場合、前側の材料は、奥まって配置されていた材料にアクセスするために取り出す必要があり、このことが冷蔵庫の奥の部分をしっかり使用しない結果を生んでいた。 この問題は新しいモデルにより解決され、アクセスに問題がある奥まった部分を使用する代わりに、消費者は外側部エリアの増加のおかげで、ただドアを開けるだけで適切で広い奥の部分を持つショーケースに直面することができ、 冷蔵庫内のすべての食品や材料に簡単にアクセスできる。
【０００４】
旧来のシングルドアでサイドバイサイドの冷蔵庫は温度を1つまたは2つのスペースだけ調整し、関連する必要性に基づいたより多数の空間を異なった冷却調整することはできなかった。 冷蔵庫の領域スペースを広げドアの数を増やすことにより、複数のスペースの冷却温度を分離して調節することができ、手作業および自動的に冷却の要求に応じてエネルギーの無駄を回避し、効率を高めることができる。
【０００５】
c2）発明の目標に関する声明
-上記「技術的問題」欄に記載されている欠陥を以下の点を含み取り除く：
- 発明の目的は、使用者のためにより多くの領域（ほぼ4倍）を提供するあらゆる側面からのアクセスを提供することであり、いずれの側からも異なる人々が容易に、同時かつ複数回のアクセスができる。
- 食品素材を適切な高さと奥行きに並べると、消費者は冷蔵庫内の食品素材にアクセスしやすくなり、2列目の他の品目にアクセスするために材料を移動させる必要はない。 加えて、食品素材は移動不要な陳列棚内にあるが如く配置される。
【０００６】
- この新しいモデルは、キッチンや他の場所の真ん中に置くことができ、必ずしもコーナーや壁の横に置く必要はありませんが、回転することができるため、どこにでも、たとえ壁際やコーナーに付けても置くことができ、 これに関しては制限はありません。
- この新しいモデルの回転できるという機能は、手動または遠隔操作によって中心軸の周りを回転させることにより容易に達成することができ、消費者がキッチンまたはレセプションホールなどの所望の空間で回転させ、モデルの周りを廻ることなく、本人の面前で、冷蔵庫または冷凍庫またはその他の付属物の所望の部分を使用することができる。
【０００７】
・どんな状態のこのモデルの配置であっても、宴会の会場と台所との中間の場所であろうが、両面からこのモデルを時間によらず使用することが可能であり、食品材料の使用及びアクセスのために長くて不要な往復をする必要はない。
【０００８】
-食材を載置するために、いくつかのドアが隣り合って冷蔵庫と冷凍庫の両方に設けられている。 ドアとドアとの間にはアイスメーカー、ウォータークーラー、クイックフリーズシステム、紅茶とコーヒーマシン、電子レンジ用の空間が設けられており、また、独立したドアを有するケーキ、ペストリー、フルーツ、野菜などのための、温度調節可能な特別なスペースも設けられている。
【図面の簡単な説明】
【０００９】
【図１】図１は、本発明装置の１実施例の斜め下方から見た見取り図である。
【図２】図２は、本発明装置の１実施例の斜め上方から見た見取り図である。
【図３】図３は、本発明装置の１実施例の正面から見た見取り図である。
【図４】図４は、本発明装置の１実施例の斜め上方から見た見取り図である。
【図５】図５は、本発明装置の１実施例の斜め上方から見た見取り図である。
【図６】図６は、本発明装置の複数の実施例の斜め上方から見た見取り図である。
【図７】図７は、本発明装置の実施例の、部分及び全体の、正面図及び斜め上方から見た見取り図である。
【００１０】
【図８】図８は、本発明装置の幾つかの実施例の、ドアの開および閉状態を示す斜め上方から見た見取り図である。
【図９】図９は、本発明装置の別の幾つかの実施例の、ドアの開および閉状態を示す斜め上方から見た見取り図である。
【図１０】図１０は、本発明装置の１実施例の冷却装置を示す見取り図である。
【図１１】図１１は、本発明装置の１実施例の再構成の様子を示す図である。
【図１２】図１２は、本発明装置の１実施例の他の再構成の様子を示す図である。
【図１３】図１３は、本発明装置の１実施例のさらに他の再構成の様子を示す図である。
【図１４】図１４は、本発明装置の１実施例の、ドア、ダクトおよびインテリアスペースの様子を示す見取り図である。
【図１】
2019517649.tif 000003
【図２】
2019517649.tif 000004
【図３】
2019517649.tif 000005
【図４】
2019517649.tif 000006
【図５】
2019517649.tif 000007
【図６】
2019517649.tif 000008
【図７】
2019517649.tif 000009
【図８】
2019517649.tif 000010
【図９】
2019517649.tif 000011
【図１０】
2019517649.tif 000012
【図１１】
2019517649.tif 000013
【図１２】
2019517649.tif 000014
【図１３】
2019517649.tif 000015
【図１４】
2019517649.tif 000016
【手続補正書】
【提出日】平成29年4月11日(2017.4.11)
【手続補正１】
【補正対象書類名】特許請求の範囲
【補正対象項目名】全文
【補正方法】変更
【補正の内容】
【特許請求の範囲】
【請求項１】
360°までのアクセスと視認性を有し、多角形と円形であり、手動と電気のリモートコントロールの両方で回転式と移動式であり、中央のシリンダーの上部に水とバッテリー貯蔵リザーバーを装備し、内部および外部カメラと接続されていて所有者および/または近くの店舗にメッセージおよび画像を送受信する能力を有するとともに、スマートショッピングのためのネットワークにも接続されたデジタルシステム、および遠隔制御および衛星電話を備えていて一方の側からの限られたアクセスの代わりに消費者があらゆる側からアクセスすることができる、中央冷蔵庫および冷凍庫。
【請求項２】
制限された一方的な使用の除去のために、キッチン内の角部であって隣接するキャビネットおよび壁に接してのみ置かれる代わりに、キッチンとレセプションホールの間に配置される能力。
【請求項３】
セントラルダクトを通したスマートな調節可能なトラップドアによるスペース間の制御可能な関係を考慮し、冷蔵庫の少なくとも2つの主隣接空間と冷凍機の2つの主隣接空間と、いくつかのドアを有する他の並存空間とを含む４つ以上の主な隣接ユニットの温度を個別に変更し調整することにより、処理システムによる温度のスマートな調整とその均等化を異なる材料の冷却ニーズに基づいてエネルギーと効率を節約するために貯蔵材料に必要な温度を制御することができる能力。
【請求項４】
機関および冷却システムの中央部（中央縦ダクト）への移動、および中央縦ダクトの頂部への排気ファンの設置。
【請求項５】
冷蔵庫の主プラットフォーム配置の、蓄電池およびバックボーンサポートが構築される場所である、隣接するアースの下部の移動および回転による支持。
【請求項６】
周囲環境からの入り口の増加を考慮した、一方の側からのアクセスから360°アクセスへの向上のための冷蔵庫および冷凍室のアクセスドアの、2つのサイドバイサイドドアからより多くのドアへの増加。
【請求項７】
２つの隣接するドアの冷凍庫としての設置、および他の2つの隣接するドアの冷蔵庫としての設置（サイドバイサイド冷蔵庫とサイドバイサイド冷凍庫）。
【請求項８】
ポリゴン、曲線および円形形状の使用、および新モデルにおける必要なドアの３６０度までの使用。
【請求項９】
冷蔵庫と冷凍庫の胴を主支持台上を地面の近くにある中央主井の周りに移動するように動かすことができ、他の車輪と玉軸受によって手動または遠隔操作によって中心軸の周りを回転するようにすること。
【請求項１０】
電話システムを介して冷蔵庫と冷凍庫と併存空間との内部温度の増減およびオンオフをリモコンのインテリジェント電子ボードを介して行うリモートコントロール。
【請求項１１】
スマートシステムを介して所有者の携帯電話に画像を送信するため、および/または所定の店舗に必要な消耗品のリストおよび減少量およびそれらの準備および冷蔵庫設置住所への送付のための情報を接続するためのカメラを装備した、冷蔵庫の内部空間。
【請求項１２】
このモデルには、緊急時に給水および給電のネットワークから独立して一定時間使用するための、充電式バッテリと、上部貯水リザーバとが装備されている。
【請求項１３】
組み立てることができ、容易な運搬と重量減少することができる、異なった別々の部品でおこなう胴体と扉の製造。
【請求項１４】
冷蔵庫が所定の位置に固定された際の、冷蔵庫下部の主指示部を通した電気および水の接続。
【請求項１５】
冷蔵庫の中央インテリジェントシステムの状態および警報を表示し、必要に応じて調理訓練などのテレビ、マルチメディア、衛星チャネルを表示するために使用される、ドアの横両側とドア上部とに配置されるモニタおよびスピーカー。携帯記憶装置がシステムに結合可能である。
【請求項１６】
モデルにはセクションごとに分かれ、トランクドアヒンジの上の四隅に配置された中央コンピューター処理システムとバッテリ電源が装備される。
【請求項１７】
冷蔵庫は360°までのあらゆる角度で使用できます。 また、ホールやキッチンのコーナーに360°未満の角度で、たとえば多かれ少なかれ90°程度である。
【請求項１８】
メインドアと棚の横にある小さなドアはスライドしており、リモコンで手動または自動で上下に動かすことができる。
【請求項１９】
開口部のドアを一体化するための上部と下部を結合するための特別なロック。
【請求項２０】
冷蔵庫構成部品の形態で使用される構成および比率。
【請求項２１】
企業のリモート診断、トラブルシューティング、およびファームウェア更新を含む異なる電気通信システムを使用して、冷蔵庫からメーカ、所有者および店舗にメッセージを送受信できる中央コンピュータシステム。
【請求項２２】
追加]ユーザインタフェースのための音声認識と画像認識を用いた人工知能パーソナルアシスタントシステムの使用。
【請求項２３】
扉とドアの間のスペースにおける製氷機、チラー、急速冷凍システム、コーヒーマシンおよび電子レンジの使用、ならびにケーキやペストリーを収納するための別個のドアを有する、フルーツ 、野菜および他の材料のための、温度調節可能な特別なスペース。
【国際調査報告】
2019517649.tif 000017
2019517649.tif 000018
2019517649.tif 000019